(57)【要約】【課題】寒冷地において、量水器ボックスが凍上現象により上昇するのを有効に防止すると共に、量水器収納筺内部の給水管の凍結や断裂等の損傷を防止する。【解決手段】収納筺本体は、土中深部に設置された収納筺本体下部１の内部に、最上面が地表と接し、最下部が収納筺底板２の上面に設置される収納筺本体上部３が、スライド可能に納められた二槽構造とし、さらに、収納筺支持枠２１とフランジ２２を設けて、大気温が氷点下となる寒冷地における収納筺本体の凍上を、凍上現象が発生する収納筺本体上部３だけに止める。量水器１３や螺旋状給水管１１を設置する収納筺本体下部１は凍上を受けないので、寒冷地においても、量水器１３や螺旋状給水管１１の凍結を防止することができる。【選択図】図１
2008303559.tif 000002
【特許請求の範囲】
【請求項１】
水道水の使用量を計測して表示する量水器と、止水栓を収納する量水器収納筺であって、
前記量水器と、前記量水器に通水する螺旋状給水管とを、底部に収納する収納筺本体下部と、
前記収納筺本体下部の内部に収納され、前記量水器及び前記螺旋状給水管の全体を収納することができる断面サイズを有し、凍上現象が発生した際には、前記収納筺本体下部の内壁をストッパーを介してスライドすることにより自身は上昇するが、前記収納筺本体下部の上昇を阻止する収納筺本体上部と、
前記収納筺本体下部を外側から取り巻き、前記収納筺本体下部の上部と固着させて取り付けられた円錐体状の収納筺支持枠と、
を備えたことを特徴とする量水器収納筺。
【請求項２】
前記螺旋状給水管は、通水状態にあっても、前記量水器を、地表面方向へ引き上げることを可能にするものであることを特徴とする請求項１に記載の量水器収納筺。
【請求項３】
前記螺旋状給水管に固着され、前記量水器の前記地表面方向への引き上げの際に使用される把手兼水平維持器を、さらに備えたことを特徴とする請求項１又は２に記載の量水器収納筺。
【請求項４】
前記収納筺本体上部の最上部には、内部に、水、土砂、及び異物が侵入することを阻止するための上蓋をさらに備え、かつ前記収納筺本体下部の最下部には、内部に、水、土砂、及び異物が侵入することを阻止すると共に前記螺旋状給水管を安置するための収納筐底板をさらに備えたことを特徴とする請求項１乃至３のいずれか１項に記載の量水器収納筺。
【請求項５】
前記ストッパーは、前記収納筺本体上部と前記収納筺本体下部との接触圧力を調整すると共に、前記収納筺本体下部の内部への、水、土砂、及び異物の侵入を阻止するものであることを特徴とする請求項１乃至４のいずれか１項に記載の量水器収納筺。
【請求項６】
前記ストッパーは、前記収納筺本体上部が前記収納筺本体下部から外れて脱落することを阻止するものであることを特徴とする請求項１乃至５のいずれか１項に記載の量水器収納筺。
【請求項７】
前記収納筺支持枠の最下部に、前記収納筺本体下部と同心円をなして固着された円板リング状のフランジを、さらに備えたことを特徴とする請求項１乃至６のいずれか１項に記載の量水器収納筺
【請求項８】
初期の埋設時において、前記収納筺本体上部は、前記上蓋が地表面に接し、かつ前記収納筺本体上部の最下部が、前記収納筺本体下部の前記収納筺底板の上面に達する状態で設置されることを特徴とする請求項４乃至７のいずれか１項に記載の量水器収納筺。
【発明の詳細な説明】
【技術分野】
【０００１】
本発明は、量水器収納筺に係り、特に、寒冷地において、冬季の凍結により、収納筺全体が地中から浮き上がる凍上現象に対処することを意図した量水器収納筺に関する。
【背景技術】
【０００２】
従来、水道水等の使用量を測定して表示するために、量水器（いわゆる「水道メーター」）が開発されており、この量水器を収納した量水器収納筺も開発されている。この量水器は、水道事業等における基本的なシステム構成要素であり、各種のタイプが開発されているが、寒冷地においては、冬季における凍結を避けるために、地域別の凍結深度を基にした給水管の埋設深度が定められており、よって、量水器は、概ね５０〜１８０〔ｃｍ〕の深度に埋設された収納筺の内部に、保護及び維持管理が容易なように設置される。
【０００３】
収納筺の種類は多種開発されているが、その内部に収納する量水器は、計量法により、８年に１回交換することが義務付けられており、また、故障や漏水を調査するための作業（即ち維持管理作業）が必要なことから、従来は、この維持管理作業の都度、掘削作業を要していた。しかし、近年は掘削作業を必要としない工法の収納筺も普及している。
【０００４】
ところが、地中に埋設された収納筺内部に設置されるタイプの量水器であっても、寒冷地においては、冬季において当該量水器や収納筺内部の給水管が凍結して作動不能となる現象（凍結事故）を防ぐことができない場合があり、このため、従来、このような寒冷地に設置される量水器については、収納筺全体を、地表から底までの距離が長い構造にすると共に、この収納筺内に収納する量水器を、温度が氷点下（摂氏０度以下）となる地表面付近の位置に配置することを避け、量水器は、その底部付近の位置（即ち、土中深い部分に相当する場所であり、温度が氷点下にはならない位置）に設置することで凍結事故を防止しており、このようなタイプの量水器収納筺は、例えば、特許文献１に開示されている。
【０００５】
図３は、従来の量水器収納筺の構成を示す構成図である。
同図に示す従来の量水器収納筺は、内部を密閉するための蓋を構成する閉塞蓋９１と、収納筺の側壁部分を構成する挿通保持体９２と、収納筺の内壁を構成する収納管９３と、収納筺を密閉するための底部を構成する閉塞底部９４と、水道水等が導水される給水管流入口９５と、水道水等を排水する給水管流出口９６と、を備えて構成される。収納管９３の内部には、コイルのように巻かれてバネ性を有する螺旋状給水管（通水コイル）９１１と、螺旋状給水管９１１の上部に配置されて螺旋状給水管９１１の通水量を測定すると共に当該水量を表示する量水器９１２と、後述する把手９１４を水平に維持すると共に支持する水平支持体９１３と、量水器９１２を、通水コイル９１１と共に引き上げるための把手９１４と、を備える。
【０００６】
同図において、量水器９１２及び螺旋状給水管９１１は、通常は、収納管９３の中の土中の深部に相当する位置に収納されているので、冬季における大気や地表面の氷点下の低温が伝わることなく、また、地熱によっても保護されることにより、内部の通水は凍結を免れるので、量水器９１２が作動不能に陥ることはない。量水器９１２を検針する場合や、点検又は修理する場合には、量水器９１２の指針を見易くするために、把手９１４を手に持って、量水器９１２を通水コイル９１１もろとも収納管９３の上部に引き上げる。螺旋状給水管９１１はコイル状に巻かれており、バネ性を有するので、途中で折れてしまうことなく収納管９３の上部に引き上げることができる。
【０００７】
従来は、このような構成の量水器収納筺を使用して、大気温が氷点下となる寒冷地においても、収納筺内部の量水器や給水管を凍結させることなく、水道水等の使用量の検針を可能にしていたのである。
【特許文献１】特開２００３−５６０１６号公報
【発明の開示】
【発明が解決しようとする課題】
【０００８】
しかし、従来の量水器収納筺にあっては、例えば、特許文献１に開示された量水器収納筺の場合、大気温が氷点下となる寒冷地の場合、霜柱によって稲の切株等が地表に持ち上げられるのと同じ原理に基づく持ち上がり現象（より具体的には、土壌凍結に伴う膨張土圧の揚向力により、地中埋設物が地表面上に突出する現象であり、「凍上」と呼ばれることがある現象）により、図４に示すように、収納筺全体が地表から持ち上げられてしまう現象が生じ、この収納筺内部に設置されている量水器９１２及び螺旋状給水管９１１も、凍結温度となる地表付近まで上昇するので、量水器９１２及び螺旋状給水管９１１の凍結防止の効果が消失するという問題点があった。
【０００９】
また、持ち上げられて地表から露出した長さＬの収納筺部分（図４参照）が、歩行や車両走行の妨げとなり、歩行者や車両との衝突により、量水器収納筺が破損する恐れがあるばかりではなく、歩行者や車両にも危害を加える結果となるという問題点があった。
【００１０】
また、この収納筺の外部の給水管も、収納筺に固定されている場合は、収納筺と共に凍上することから、給水管の折損や断裂を生じることがあり、水量低下や断水事故を生じさせる原因となっていた。
【００１１】
このため、従来は、収納筺を本体下部から上部にかけて山型に傾斜を付けて、本体側面に働く膨張土圧を上部へ分散させる方法が発明されているが、この方法では、収納筺の本体下部から上部にかけて傾斜を持たせることから、収納筺本体の下部寸法が大きくなる欠点があり、住宅施設内への設置が困難となる場合が有ると共に、これだけでは凍上防止対策としては不備であることが予見されていた。
【００１２】
また、収納筺本体に収縮する断熱材を巻き付けて、本体側面に働く膨張土圧を吸収し、凍上を防止する方法も発明されているが、この方法では、厚みが２０〜５０〔ｍｍ〕程度の断熱材を使用することで一定の効果は期待できるが、断熱材の経年変化に起因する収縮率の低下により、初期の効果が得られなくなることが予見されていた。
【００１３】
また、収納筺本体にスリップ効果を有するフィルム状のシートを巻き付け、本体側面に働く膨張土圧をスリップさせる凍上防止対策も発明されているが、この方法では、膨張土圧の程度及び土質により、全く効果が得られないことが判明していた。
【００１４】
また、収納筺本体の凍結深度以下となる中間部及び底部に、リング状のツバを取り付けて凍上力を抑え込む方法も発明されているが、この方法では、膨張土圧の程度及び土質により、凍上が抑止できなかったり、リング状のツバの破損や、ツバ取り付け部の破損により、ツバが収納筺本体から分断する。また、ツバ部分が収納筺本体よりも外部にせり出るため、設置面積によっては設置できなくなるといった問題点があった。
【００１５】
また、収納筺本体を２分割し、分割された上部だけを、膨張土圧に対して抵抗させずに凍上させ、土壌凍結及び膨張土圧が緩和された時点で、この凍上した上部を元の位置に戻す方法が知られており、この方法は、前述のいずれの方法とも異なっているが、２分割された収納筺本体の上部側と下部側の筺寸法（断面積）が同じであることから、凍上した上部側と凍上しない下部側との間に剥き出しの隙間が生じ、土片が入り込む。よって、従来は、フィルム状のシート、若しくは断熱材を巻き付けていたが、土圧による変形や、土砂の横圧や混入により、土壌凍結及び膨張土圧が緩和されても、凍上した上部側が元の位置に戻らない現象が発生しており、この問題点の解決も課題であった。
【００１６】
さらに、従来は、ＧＬ面の変更に伴う、収納筺の高さ位置調整方法は、一般に、収納筺の位置を下げる場合は収納筺本体を切断する方法（切り下げ方法）が採用され、収納筺の位置を上げる場合は、切断した収納筺本体を寸法分嵩上げする方法、若しくは予め定められた寸法の成形品にて嵩上げする方法（嵩上げ方法）が採用されていた。しかし、このような収納筺の高さ位置調整作業は、現場では非常に面倒な作業工程であるにも関わらず、ＧＬ面の変更は、土盛り、舗装、カラーブロック施工等により、常態的に生じ、しかも、殆どの場合、量水器収納筺の設置後に生じる作業であるので、非常に厄介であった。なお、前述の切り下げ方法の実施は比較的容易であるが、切り下げが不可能な構造の収納筺を使用する場合は不可能であり、前述の嵩上げ方法については、ＧＬ面に合わせた寸法の同種の収納筺本体が必要となり、また、切断加工や現場での取り付け作業が困難である。ちなみに、収納筺の種類によっては、定められた寸法が、例えば、１０〔ｃｍ〕、２０〔ｃｍ〕、３０〔ｃｍ〕等、概ね１０〔ｃｍ〕単位で増加する寸法であるため、この寸法以外での嵩上げが困難であるので、ＧＬ面に対して収納筺の上面が凹凸を形成してしまう場合があった。
【００１７】
このため、本発明は、大気温が氷点下（摂氏０度以下）となる寒冷地において、量水器を収納する筺の全体が、設置後、地表から持ち上げられる現象（凍上現象）を防止または緩和することが可能として、このような寒冷地における量水器収納筺内部の給水管の凍結や断裂の防止を一層確実に行うと共に、収納筺本体の損傷を防止することができる量水器収納筺を提供することを目的とするものである。
【課題を解決するための手段】
【００１８】
本発明は、上記した従来の量水器収納筺の課題に鑑みてなされたものであり、水道水の使用量を計測して表示する量水器と、止水栓を収納する量水器収納筺であって、前記量水器と、前記量水器に通水する螺旋状給水管とを、底部に収納する収納筺本体上部と、前記収納筺本体下部の内部に収納され、前記量水器及び前記螺旋状給水管の全体を収納することができる断面サイズを有し、凍上現象が発生した際には、前記収納筺本体下部の内壁をストッパーを介してスライドすることにより自身は上昇するが、前記収納筺本体下部の上昇を阻止する収納筺本体上部と、前記収納筺本体下部を外側から取り巻き、前記収納筺本体下部の上部と固着させて取り付けられた円錐体状の収納筺支持枠と、を備えたことを特徴とする量水器収納筺を提供するものである。
【００１９】
このように構成したことにより、大気温が氷点下（摂氏０度以下）となる寒冷地において、従来は収納筺全体が地表から持ち上げられる現象（凍上現象）を発生させていた所を、本発明では、実際に凍上現象が発生する地表付近と接触する収納筺本体上部だけを凍上させ、土中深部に設置されて凍上現象が発生しない収納筺本体下部の上昇は防止するので、量水器や螺旋状給水管の凍結防止対策を一層確実に行える量水器収納筺を実現することができる。なお、収納筺本体下部の上部と固着させて取り付けられた円錐体状の収納筺支持枠の外面は、垂直方向に対して傾斜を有するので、当該傾斜面の上面が土圧に抗する作用により、収納筺本体下部が上昇することを一層強固に阻止することができる。
【００２０】
ここで、前記量水器収納筺において、前記螺旋状給水管は、通水状態にあっても、前記量水器を、地表面方向へ引き上げることを可能にするものであることを特徴とする。
このように構成したことにより、保守、点検、修理、及び検針等の際に、水道水の供給を停止させることなく、量水器を作業し易い位置にまで引き上げることができる量水器収納筺を実現している。
【００２１】
また、前記量水器収納筺は、前記螺旋状給水管に固着され、前記量水器の前記地表面方向への引き上げの際に使用される把手兼水平維持器を、さらに備えたことを特徴とする。
このように構成したことにより、保守、点検、修理、及び検針等の際の量水器の引き上げ作業を容易にする量水器収納筺を実現している。
【００２２】
また、前記量水器収納筺において、前記収納筺本体上部の最上部には、内部に、水、土砂、及び異物が侵入することを阻止するための上蓋をさらに備え、かつ前記収納筺本体下部の最下部には、内部に、水、土砂、及び異物が侵入することを阻止すると共に前記螺旋状給水管を安置するための収納筐底板をさらに備えたことを特徴とする。
このように構成したことにより、収納筺本体上部の内部に上部から水、土砂、及び異物が侵入することを阻止することが可能となり、さらに、収納筺本体下部の底部から水、土砂、及び異物が混入することが阻止されるので、量水器が水、土砂、及び異物に覆われて損傷したり、検針が妨げられることを防止すると共に、凍結解除の季節に、収納筺本体上部が元の設置位置に復帰することを妨げられることがない量水器収納筺を実現している。
【００２３】
また、前記量水器収納筺において、前記ストッパーは、前記収納筺本体上部と前記収納筺本体下部との接触圧力を調整すると共に、前記収納筺本体下部の内部への、水、土砂、及び異物の侵入を阻止するものであることを特徴とする。
このように構成したことにより、収納筺本体下部の内部に横方向から侵入した水、土砂、及び異物により、収納筺本体上部の上げ下げが妨げられたり、量水器が水、土砂、及び異物に覆われて損傷したり、検針が妨げられることがない量水器収納筺を実現している。
【００２４】
また、前記量水器収納筺において、前記ストッパーは、前記収納筺本体上部が前記収納筺本体下部から外れて脱落することを阻止するものであることを特徴とする。
このように構成したことにより、収納筺本体上部が前記収納筺本体下部から外れて脱落することを防止し、収納筺本体下部の内部に水、土砂、及び異物が進入することを防止すると共に、凍結解除の季節に、収納筺本体上部が元の設置位置に容易に復帰することが可能な量水器収納筺を実現している。
【００２５】
また、前記量水器収納筺は、前記収納筺支持枠の最下部に、前記収納筺本体下部と同心円をなして固着された円板リング状のフランジを、さらに備えたことを特徴とする。
このように構成したことにより、収納筺支持枠の最下部に収納筺本体下部と同心円をなして固着された円板リング状のフランジの上面が土圧に抗する作用により、収納筺支持枠が持ち上げられることを阻止し、ひいては収納筺本体下部が上昇することを一層強固に阻止することができる。
【００２６】
さらに、前記量水器収納筺の初期の埋設時において、前記収納筺本体上部は、前記上蓋が地表面に接し、かつ前記収納筺本体上部の最下部が、前記収納筺本体下部の前記収納筺底板の上面に達する状態で設置されることを特徴とする。
このように構成したことにより、収納筺本体上部だけが凍上現象により地表面方向へ引き上げられる距離を大きく設定することができる。
【発明の効果】
【００２７】
本発明によれば、大気温が氷点下（摂氏０度以下）となる寒冷地において、量水器収納筺全体が地表から持ち上げられる現象（凍上現象）を防止し、凍上現象を発生させる条件が生じた際には、実際に凍上現象が発生する地表付近と接触する収納筺本体上部だけを凍上させ、土中深部に設置されて凍上現象が発生しない収納筺本体下部の上昇は防止するので、量水器や螺旋状給水管の凍結防止対策を一層確実に行える量水器収納筺を提供することができる効果がある。
【００２８】
また、収納筺本体下部の上部と固着させて取り付けられた円錐体状の収納筺支持枠の外面は、垂直方向に対して傾斜を有するので、当該傾斜面の上面が土圧に抗する作用により、収納筺本体下部が上昇することを一層強固に阻止することができる。
【００２９】
さらに、収納筺支持枠の最下部に収納筺本体下部と同心円をなして固着された円板リング状のフランジの上面が土圧に抗する作用により、収納筺支持枠が持ち上げられることを阻止し、ひいては収納筺本体下部が上昇することを一層強固に阻止することができる。
【発明を実施するための最良の形態】
【００３０】
本発明は、量水器を収納する収納筺において、収納筺本体の構成を、上下２つの収納筺を備える構成とすると共に、上側の収納筺を、下側の収納筺の内部にスライド可能に納めた二槽構造とすることにより、大気温が氷点下（摂氏０度以下）となる寒冷地における収納筺の凍上を、地表付近と接触して実際に凍上現象が発生する上側の収納筺だけに止めるものとし（即ち、土中深部に設置されて凍上現象が発生しない下側の収納筺は上昇させないようにし）、これにより、下側の収納筺に収納された量水器や給水管が凍結することを防止するものである。
【００３１】
以下、図面を参照して、本発明の実施の形態について詳細に説明する。
図１は、本発明の実施の形態に係る量水器収納筺の主要部の構成を示す構成図である。
同図に示すように、本実施形態に係る量水器収納筺は、下側の収納筺である収納筺本体下部１と、収納筺本体下部１の底部を覆う収納筺底板２と、上側の収納筺をなし、収納筺本体下部１の内部にスライド可能に納められた収納筺本体上部３と、収納筺本体下部１の内部の最上部に取り付けられた上部脱落防止用ストッパー４と、収納筺本体下部１の内部の最下部に取り付けられた下部脱落防止用ストッパー５と、収納筺本体上部３の上部を覆う上蓋６と、上蓋６を受ける上蓋受け口７と、給水施設から供給される水を取り入れる給水管流入口８と、給水施設から供給される水を取り出す給水管流出口９と、収納筺本体下部１の外側を取り巻く円錐体状の収納筺支持枠２１と、収納筺支持枠２１の最下部に同心円状に取り付けられたフランジ２２と、を備えて構成される。
【００３２】
収納筺本体下部１の内部には、収納筺底板２の上面に設置された螺旋状給水管１１と、螺旋状給水管１１に連結された止水栓１２、量水器１３、及び量水器接続継手１４と、量水器１３を持ち上げるための把手兼水平維持器１５と、を備える。
【００３３】
本実施形態に係る量水器収納筺の全体形状は円筒形状とするが、本発明では、一般に、量水器収納筺の全体形状として、任意形状の切り口の筒状形状が可能であり、その切り口の面積も任意である。
【００３４】
収納筺本体下部１、収納筺底板２、収納筺本体上部３、及び上蓋６を構成する素材には、鉄、アルミ、チタン等の金属、各種合金、合成樹脂、等が使用可能である。合成樹脂としては、ポリエチレン、ポリエステル、ポリカーボネート、等の使用が好ましい。収納筺本体上部３及び収納筺本体下部１の内部には断熱材を貼り付けることが可能である。また、収納筺本体上部３には、上蓋受け口７よりも下部に断熱蓋を追加することが可能である。
【００３５】
収納筺支持枠２１及びフランジ２２を構成する素材には、鉄、アルミ、チタン等の金属、各種合金、合成樹脂、等が使用可能である。合成樹脂としては、ポリエチレン、ポリエステル、ポリカーボネート、等の使用が好ましい。
【００３６】
図１に示すように、本実施形態に係る量水器収納筺の収納筺本体は、土中深部に設置された収納筺本体下部１の内部に、最上面が地表と接し、最下部が収納筺底板２の上面に設置される収納筺本体上部３が、スライド可能に納められた二槽構造とし、これにより、大気温が氷点下（摂氏０度以下）となる寒冷地における収納筺本体の凍上を、凍上現象が発生する収納筺本体上部３だけに止めるものとし、即ち、量水器１３や螺旋状給水管１１を設置する収納筺本体下部１は凍上を受けることがないので、このような寒冷地においても、量水器１３や螺旋状給水管１１の凍結を防止することができる。
【００３７】
収納筺本体下部１の内壁は、収納筺本体上部３の外壁と直接的には接触しないように構成されている。即ち、収納筺本体上部３の断面サイズは、収納筺本体下部１の断面サイズよりも小さく、よって、収納筺本体上部３の少なくとも下部半分は、収納筺本体下部１に包含される。
【００３８】
把手兼水平維持器１５は、螺旋状給水管１１の全長の中間地点に、量水器１３を挟んで取り付けられており、保守、点検、修理、及び検針等の作業の際には、この把手兼水平維持器１５を手で引き上げることにより、量水器１３を地表付近まで持ち上げることができるので、これらの作業を容易に行うことができる。ここで、螺旋状給水管１１は、コイル状に巻かれており、コイルバネと同様の弾性と柔軟性を有するので、把手兼水平維持器１５が引き上げられて、量水器１３が地表付近まで持ち上げた状態においても、螺旋状給水管１１には、そのまま通水が可能である。
【００３９】
上蓋６は、収納筺本体上部３の最上部に設置され、その内部に、水、土砂、及び異物が侵入することを阻止する。また、収納筺底板２は、収納筺本体下部１の最下部に設置され、その内部に、水、土砂、および異物が侵入することを阻止すると共に、その上面に螺旋状給水管１１を安置される。
【００４０】
上部脱落ストッパー４は、収納筺本体上部３の上昇を下部脱落ストッパー５との係合により阻止し、収納筺本体上部３が収納筺本体下部１から外れて脱落することを防止すると共に、収納筺本体下部１の内部に、水、土砂、及び異物が侵入することを阻止する。上部脱落ストッパー４が収納筺本体上部３の外面を押す力の強度は、凍上現象により、収納筺本体上部３が上昇した場合には、それに連動して、上部脱落ストッパー４も引き上げられてしまうことがない強度とする。
【００４１】
収納筺支持枠２１は、収納筺本体下部１を外側から取り巻く円錐体状の外枠部分であり、収納筺本体下部１の上部に固着されて収納筺本体を保護すると共に収納筺本体下部１を支持し、垂直方向に対して傾斜を有する当該支持枠側壁の外面の作用、より具体的には、当該傾斜面の上面が土圧に抗する作用により、収納筺本体下部１が上昇することを阻止する。
【００４２】
フランジ２２は、収納筺支持枠２１の最下部に収納筺本体下部１と同心円をなして固着された円板リング状のフランジであり、このフランジの上面の作用、より具体的には、このフランジの上面が土圧に抗する作用により、収納筺支持枠２１が持ち上げられることを阻止し、ひいては収納筺本体下部１が上昇することを阻止する。
【００４３】
図１に示すように、螺旋状給水管１１及び量水器１３は、収納筺本体下部１の最下部、即ち、土中の深部に相当する位置において、収納筺本体下部１の内部に収納されているので、冬季における大気や地表面の氷点下の温度が伝わることなく、また、地熱によっても保護されることにより、内部の通水は凍結を免れるので、螺旋状給水管１１や量水器１３が作動不能に陥ることはない。量水器１３を保守、点検、修理、及び検針する際には、量水器１３の指針を見易くするために、把手兼水平維持器１５を手に持って、量水器１３を螺旋状給水管１１と共に上部に引き上げるものとする。螺旋状給水管１１はコイル状に巻かれており、コイルバネのようなバネ性を有するので、収納筺の上部に引き上げられる途中で破損したり、切断したりすることなく、上部に引き上げることができる。
【００４４】
図２は、本発明の実施の形態に係る量水器収納筺が凍上現象を受けた時の状態を示す構成図である。
同図に示すように、大気温が氷点下（摂氏０度以下）となる寒冷地においては、冬季などに前述の凍上現象が発生するが、この凍上現象は、収納筺本体上部３の外壁が接している地表付近の土中においてのみ発生し、収納筺本体下部１の外壁が接している地中深部においては発生しないので、実際に凍上現象が発生した際には、図２に示すように、この凍上により持ち上げられるのは収納筺本体上部３側だけであり、量水器１３や螺旋状給水管１１が設置されている収納筺本体下部１は持ち上げられることがないので、量水器１３及び螺旋状給水管１１の内部を流れる給水の凍結を防止することができる。
【００４５】
なお、凍上現象により、収納筺本体上部３が持ち上げられる高さは、１年間では僅かであり、その僅かの上昇分も、大気温が氷点温度よりも高くなる季節の到来と共に、土中の凍結状態が解凍されるので、収納筺本体上部３自体の重力による自然落下により、収納筺本体上部３を、自動的に元の位置（図１参照）に復帰させることができる。また、持ち上げられた収納筺本体上部３は、その上面を、足で踏みつけることによっても、簡単に元の位置（図１参照）に収めることができる。
【産業上の利用可能性】
【００４６】
本発明は、量水器ボックスに関し、寒冷地における冬季の凍結により、量水器の収納筺全体が地中から浮き上がる凍上現象に対処することを意図した量水器ボックスに関するものであり、産業上の利用可能性を有する。
【図面の簡単な説明】
【００４７】
【図１】本発明の実施の形態に係る量水器収納筺の構成を示す構成図である。
【図２】本発明の実施の形態に係る量水器収納筺が凍上現象を受けた時の状態を示す構成図である。
【図３】従来の量水器収納筺の構成を示す構成図である。
【図４】従来の量水器収納筺の構成の不都合を示す構成図である。
【符号の説明】
【００４８】
１：収納筺本体上部
２：収納筺底板
３：収納筺本体下部
４：上部脱落防止用ストッパー
５：下部脱落防止用ストッパー
６：上蓋
７：上蓋受け口
８：給水管流入口
９：給水管流出口
１１：螺旋状給水管
１２：止水栓
１３：量水器
１４：量水器接続継手
１５：把手兼水平維持器
２１：収納筺支持枠
２２：フランジ
【図１】
2008303559.tif 000003
【図２】
2008303559.tif 000004
【図３】
2008303559.tif 000005
【図４】
2008303559.tif 000006